(57)【要約】【課題】柱接合作業の効率化を図るとともに、内側添え板の製作作業の効率化を図ることができる柱接合構造を提供することを目的とする。【解決手段】下節の鋼管柱１の上端と上節の鋼管柱２の下端とが内側添え板３を介して接合される柱接合構造において、鋼管柱１，２の内方には、貫通孔３ａ…が形成された内側添え板３と、内側添え板３に対向する押さえ板４とがそれぞれ配設され、内側添え板３と押さえ板４との間には、押さえ板４により押さえられて内側添え板３と押さえ板４との間に挟持されたナット５…が介在され、ナット５…と内側添え板３の貫通孔３ａ…と鋼管柱１，２に形成された貫通孔１ａ…，２ａ…とはそれぞれ孔合わせされ、鋼管柱１，２の貫通孔１ａ…，２ａ…に差し込まれたボルト８…は、内側添え板３の貫通孔３ａ…に挿通されつつナット５…に螺合されて締め付けられている。【選択図】図１
2008019566.tif 000002
【特許請求の範囲】
【請求項１】
下節の鋼管柱の上端と上節の鋼管柱の下端とが内側添え板を介して接合される柱接合構造において、
前記鋼管柱の内方には、貫通孔が形成された内側添え板と、該内側添え板に対向する押さえ板とがそれぞれ配設され、
該内側添え板と押さえ板との間には、押さえ板により押さえられて内側添え板と押さえ板との間に挟持されたナットが介在され、
該ナットと内側添え板の貫通孔と鋼管柱に形成された貫通孔とはそれぞれ孔合わせされ、
鋼管柱の貫通孔に差し込まれたボルトは、内側添え板の貫通孔に挿通されつつ前記ナットに螺合されて締め付けられていることを特徴とする柱接合構造。
【請求項２】
請求項１記載の柱接合構造において、
内側添え板と押さえ板との間には、前記ナットが嵌め込まれるナット孔が形成された回転規制板が配設されており、
該回転規制板のナット孔に嵌合されたナットは、当該回転規制板によってその回転が規制されていることを特徴とする柱接合構造。
【発明の詳細な説明】
【技術分野】
【０００１】
本発明は、下節の鋼管柱の上端と上節の鋼管柱の下端とを接合させる柱接合構造に関する。
【背景技術】
【０００２】
従来、鋼管柱の継手方法としては、下節の鋼管柱の上端と上節の鋼管柱の下端とを溶接接合する方法がある。この方法は、予め、下節の鋼管柱の上部外周面と上節の鋼管柱の下部外周面にエレクションピースをそれぞれ溶接しておく。そして、このエレクションピースによって下節の鋼管柱とその上に載せられた上節の鋼管柱とを仮固定し、下節の鋼管柱の上端と上節の鋼管柱の下端とを溶接する。その後、エレクションピースをガス切断して作業を完了する。これにより、下節の鋼管柱の上端と上節の鋼管柱の下端とが接合される。ところが、上記した方法では、上述したようにエレクションピースのガス切断が必要であるため、柱接合作業が煩雑であって効率が悪い。また、構造物を解体する際、この鋼管柱をガス切断しなければならないため、解体作業に手間がかかるとともに、解体後の鋼管柱の再利用が困難である。
【０００３】
そこで、近年、鋼管柱の内周面に添わして設置された内側添え板を介して下節の鋼管柱の上端と上節の鋼管柱の下端とを接合する技術が提案されている。この技術は、まず、上部にねじ孔が形成された内側添え板を用意し、この内側添え板を下節の鋼管柱の上部内周面にその上部を上方に突出させた状態で溶接接合しておく。そして、上節の鋼管柱を、その下端内部に内側添え板の上部を挿入させつつ下節の鋼管柱の上に配置させた後、上節の鋼管柱下部に形成された貫通孔（キリ孔）からボルトを差し込んで内側添え板のねじ孔に螺合させて締め付ける。これにより、下節の鋼管柱の上端と上節の鋼管柱の下端とが溶接することなく接合される（例えば、特許文献１参照。）。
【０００４】
また、近年、ボルト先端面にドライバ等の工具を嵌合させるための溝が形成されたテイクアウトボルトを使用して下節の鋼管柱の上端と上節の鋼管柱の下端とを接合する技術が提案されている。この技術は、まず、上記した溝付きのテイクアウトボルトの他に、上部及び下部にねじ孔（タップ孔）がそれぞれ形成された内側添え板を用意し、内側添え板上部のねじ孔にテイクアウトボルトの先端部を螺合させて内側添え板にテイクアウトボルトを突設させておくとともに、この内側添え板を下節の鋼管柱の上部内周面にその上部を上方に突出させた状態でボルト接合しておく。そして、上節の鋼管柱を、その下端内部に内側添え板の上部を挿入させつつ下節の鋼管柱の上に配置させた後、上節の鋼管柱の下部に形成された貫通孔（キリ孔）からドライバ等の工具を差し込み、この工具をテイクアウトボルト先端の溝に嵌合させてテイクアウトボルトを捻り出す。続いて、鋼管柱の外まで捻り出されたテイクアウトボルトの端部にナットを螺合させて締め付ける。これにより、下節の鋼管柱の上端と上節の鋼管柱の下端とが溶接することなく接合される（例えば、特許文献２参照。）。
【特許文献１】特開２００４−２８５８１６号公報
【特許文献２】特開平９−１４４７２０号公報
【発明の開示】
【発明が解決しようとする課題】
【０００５】
しかしながら、上記した前者の従来技術では、内側添え板に多数のねじ孔を開ける必要があるため、内側添え板の製作効率が悪いという問題がある。
また、上記した後者の従来技術では、上記した前者の従来技術と同様に、多数のねじ孔を開けることによる内側添え板の製作手間の問題があるとともに、ドライバ等の工具を使ってテイクアウトボルトを捻り出す作業が必要であるため、柱接合作業が煩雑であり、効率が悪いという問題がある。
【０００６】
本発明は、上記した従来の問題が考慮されたものであり、柱接合作業の効率化を図るとともに、内側添え板の製作作業の効率化を図ることができる柱接合構造を提供することを目的としている。
【課題を解決するための手段】
【０００７】
請求項１記載の発明は、下節の鋼管柱の上端と上節の鋼管柱の下端とが内側添え板を介して接合される柱接合構造において、前記鋼管柱の内方には、貫通孔が形成された内側添え板と、該内側添え板に対向する押さえ板とがそれぞれ配設され、該内側添え板と押さえ板との間には、押さえ板により押さえられて内側添え板と押さえ板との間に挟持されたナットが介在され、該ナットと内側添え板の貫通孔と鋼管柱に形成された貫通孔とはそれぞれ孔合わせされ、鋼管柱の貫通孔に差し込まれたボルトは、内側添え板の貫通孔に挿通されつつ前記ナットに螺合されて締め付けられていることを特徴としている。
【０００８】
このような特徴により、ナットを挟持している内側添え板と押さえ板とを鋼管内に配置させた状態で下節の鋼管柱の上に上節の鋼管柱の載せ、その後、鋼管柱に形成された貫通孔からボルトを差し込んで当該ボルトを上記ナットに螺合させて締め込むだけで、下節の鋼管柱上部と上節の鋼管柱下部とが接合される。また、鋼管柱と内側添え板とを接合させるためのボルトは、内側添え板と押さえ板とにより挟持されたナットに螺合されて締め付けられるため、ボルトを挿通させるための内側添え板の貫通孔は、雌ねじが切られたねじ孔でなく、錐（キリ）等で開けられたような孔（以下、キリ孔と記す。）でよい。このキリ孔は、ねじ孔と異なりコンピュータ制御のレーザを用いて開けることができる。
【０００９】
請求項２記載の発明は、請求項１記載の柱接合構造において、内側添え板と押さえ板との間には、前記ナットが嵌め込まれるナット孔が形成された回転規制板が配設されており、該回転規制板のナット孔に嵌合されたナットは、当該回転規制板によってその回転が規制されていることを特徴としている。
【００１０】
このような特徴により、ボルトを締め込む際に、ボルトと共にナットが回転することがなく、ボルトの締め込みが確実に行われる。
【発明の効果】
【００１１】
本発明に係る柱接合構造によれば、ガス切断作業やボルトの捻り出し作業等がなく、効率良く柱接合作業を行うことができる。また、本発明に係る柱接合構造によれば、内側添え板に形成するねじ孔の数を低減或いは無くすことができるため、効率良く内側添え板を製作することができる。
【発明を実施するための最良の形態】
【００１２】
以下、本発明に係る柱接合構造の実施の形態について、図面に基いて説明する。
【００１３】
図１は本実施の形態における柱接合構造の縦断面図であり、図２は本実施の形態における柱接合構造の横断面図であり、図３は本実施の形態における柱接合構造の分解図である。
図１，図２，図３に示すように、本実施の形態における柱接合構造は、下節の鋼管柱１の上端と上節の鋼管柱２の下端とを内側添え板３…を介して接合させるための構造であり、鋼管柱１，２の内周面に添えられた内側添え板３…と、鋼管柱１，２の内方に配設されて内側添え板３…に対向する押さえ板４…と、内側添え板３と押さえ板４との間に介在されたナット５…と、内側添え板３と押さえ板４との間に配設された回転規制板６…と、鋼管柱１，２の外周面に添えられた外側添え板７…と、内側添え板３…と鋼管柱１，２と外側添え板７…とを接合させるためのボルト８…とから構成されている。
【００１４】
鋼管柱１，２は、鋼管構造や被覆形鋼管コンクリート構造、充填形鋼管コンクリート構造、充填被覆形鋼管コンクリート構造等の柱を構成する柱部材である。鋼管柱１，２は、建物の一層分或いは建物複層分を一節として柱を複数の節に分けたものであり、複数の鋼管柱１，２を軸方向に継手して組み立てることで柱が形成される。具体的には、鋼管柱１，２は、断面四角形の角形鋼管からなり、下節の鋼管柱１と上節の鋼管柱２とは、下節の鋼管柱１の上端面と上節の鋼管柱２の下端面とを突き合わせた状態で配置されている。
【００１５】
下節の鋼管柱１の上部には、ボルト８…を挿通させるための複数の貫通孔１ａ…が四方の各面にそれぞれ形成されている。また、上節の鋼管柱２の下部にも、下節の鋼管柱１の上部と同様に、ボルト８…を挿通させるための複数の貫通孔２ａ…が四方の各面にそれぞれ形成されている。これらの貫通孔１ａ…，２ａ…は、キリ孔であり、ボルト８…の直径よりも若干大きい径で空けられたルーズホールである。また、上記した複数の貫通孔１ａ…，２ａ…は、縦横所定のピッチで形成されている。
【００１６】
内側添え板３…は、継手される上下の鋼管柱1，２の内周面にそれぞれ添えられる矩形板状の応力伝達材であり、例えば、鋼板や繊維強化プラスチック（ＦＲＰ）等からなる。内側添え板３…は、下節の鋼管柱１と上節の鋼管柱２との接合部分（継手部分）の鋼管内において、下節の鋼管柱１の上部内周面と上節の鋼管柱２の下部内周面との間に亘って延在されており、その下部は下節の鋼管柱１の上部内周面に接面され、その上部は上節の鋼管柱２の下部内周面に接面されている。また、内側添え板３…は、鋼管柱１，２の四方の各面にそれぞれ配設されている。
【００１７】
また、内側添え板３には、ボルト８…を挿通させるための複数の貫通孔３ａ…が形成されている。この貫通孔３ａ…は、上記した鋼管柱１，２に形成された貫通孔１ａ…，２ａ…と同様のキリ孔であって、ボルト８…の直径よりも若干大きい径で空けられたルーズホールである。また、この複数の貫通孔３ａ…は、下節の鋼管柱１の貫通孔１ａ…や上節の鋼管柱２の貫通孔２ａ…と同様のピッチで縦横に形成されている。また、内側添え板３…の四隅には、後述する固定ねじ１０…を螺合させるためのねじ孔３ｂ…が形成されている。このねじ孔３ｂ…は、内周面に雌ねじが切られたタップ孔である。
【００１８】
押さえ板４…は、ナット５…を押さえるための矩形板状の押さえ部材であり、例えば、鋼板やＦＲＰ、その他の合成樹脂等からなる。また、押さえ板４…は、内側添え板３と略同形状の板材であり、複数の内側添え板３…の鋼管内方側の側方にそれぞれ配置されて内側添え板３…に真直ぐ対向されている。
【００１９】
また、押さえ板４…には、ボルト８…を挿通させるための複数の貫通孔４ａ…が形成されている。この貫通孔４ａ…は、上記した鋼管柱１，２に形成された貫通孔１ａ…，２ａ…や内側添え板３…に形成された貫通孔３ａ…と同様のキリ孔であって、ボルト８…の直径よりも若干大きい径で空けられたルーズホールである。また、この貫通孔４ａ…は、内側添え板３の貫通孔３ａ…と同様のピッチで縦横に形成されている。また、押さえ板４の四隅には、後述する固定ねじ１０…を挿通させるためのキリ孔の貫通孔４ｂ…が形成されている。
【００２０】
ナット５…は、ボルト８…を螺合させるためのナットであり、本実施の形態では、公知の六角ナットを使用している。このナット５…は、内側添え板３の貫通孔３ａ…の位置にそれぞれ配設され、内側添え板３の貫通孔３ａ…にそれぞれ孔合わせされている。また、ナット５…は、押さえ板４により押さえられて内側添え板３と押さえ板４との間に挟持されている。
【００２１】
また、回転規制板６は、ナット５…の回転を規制するための矩形板状の部材であり、例えば、鋼板やＦＲＰ、その他の合成樹脂等からなる。回転規制板６には、ナット５…が嵌め込まれるナット孔６ａ…が形成されている。このナット孔６ａ…はキリ孔であり、具体的には、六角ナットからなるナット５…に対して当該ナット５…よりも若干大きい六角形のナット孔６ａ…が形成されている。このナット孔６ａ…は、所定位置に配設された全てのナット５…がナット孔６ａ…にそれぞれ嵌合されるように、各ナット５…に対応した位置にそれぞれ形成されている。これらナット孔６ａ…に嵌合されたナット５…は、回転規制板６によってその回転が規制されており、ナット５…にボルト８…が螺合させる際にもナット５…が供回りしない。また、回転規制板６の四隅にも、後述する固定ねじ１０…を挿通させるためのキリ孔の貫通孔６ｂ…が形成されている。
【００２２】
上記した内側添え板３の四隅に開けられたねじ孔３ｂ…と、押さえ板４の四隅に開けられた貫通孔４ｂ…と、回転規制板６の四隅に開けられた貫通孔６ｂ…とは、それぞれ孔合わせされており、押さえ板４の貫通孔４ｂ…から小ねじ等の固定ねじ１０…がそれぞれ差し込まれ、この固定ねじ１０…が回転規制板６の貫通孔６ｂ…に挿通されて内側添え板３のねじ孔３ｂ…に螺合されて締め付けられている。つまり、ナット５…を内包させた状態で重ね合わされた内側添え板３と回転規制板６と押さえ板４とは、その四隅が固定ねじ１０…によって固定されている。このようにして、回転規制板６により回転規制されたナット５…を内側添え板３と押さえ板４とにより挟み込んだ構成からなるサンドイッチ構造の内側添え部材９が形成されている。なお、固定ねじ１０には、内側添え板３と回転規制板６との間に介在されるスペーサーナット１１…や、回転規制板６と押さえ板４との間に介在されるスペーサーナット１２…がそれぞれ螺合されており、内側添え板３と回転規制板６と押さえ板４との間隔が適正に保持されている。
【００２３】
一方、鋼管柱１，２の外に配設された外側添え板７…は、継手される上下の鋼管柱1，２の外周面にそれぞれ添えられる矩形板状の応力伝達材であり、例えば、鋼板や繊維強化プラスチック（ＦＲＰ）等からなる。外側添え板７…は、下節の鋼管柱１と上節の鋼管柱２との接合部分（継手部分）の鋼管外周において、下節の鋼管柱１の上部外周面と上節の鋼管柱２の下部外周面との間に亘って延在されており、その下部は下節の鋼管柱１の上部外周面に接面され、その上部は上節の鋼管柱２の下部外周面に接面されている。また、内側添え板３…は、鋼管柱１，２の四方の各面にそれぞれ配設されている。
【００２４】
また、外側添え板７には、ボルト８…を挿通させるための複数の貫通孔７ａ…が形成されている。この貫通孔７ａ…は、上記した鋼管柱１，２に形成された貫通孔１ａ…，２ａ…と同様のキリ孔であって、ボルト８…の直径よりも若干大きい径で空けられたルーズホールである。また、この複数の貫通孔７ａ…は、下節の鋼管柱１の貫通孔１ａ…や上節の鋼管柱２の貫通孔２ａ…と同様のピッチで縦横に形成されている。
【００２５】
上記した外側添え板７の貫通孔７ａ…と、鋼管柱１，２の貫通孔１ａ…，２ａ…と、内側添え板３の貫通孔３ａ…と、ナット５…と、押さえ板４の貫通孔４ａとは、それぞれ孔合わせされており、外側添え板７の貫通孔７ａ…から座金１３…を介してボルト８…がそれぞれ差し込まれ、このボルト８…が、外側添え板７の貫通孔７ａ…、鋼管柱１，２の貫通孔１ａ…，２ａ…及び内側添え板３の貫通孔３ａ…に挿通されてナット５…に螺合されて締め付けられている。また、ボルト８…の先端は、押さえ板４の貫通孔４ａ…に挿通されて鋼管内方に向けて突出されている。
【００２６】
次に、上記した構成からなる柱接合構造の施工方法について説明する。
【００２７】
まず、予め、工場や現場内で、内側添え部材９を製作する工程を行っておく。具体的には、回転規制板６のナット孔６ａ…内に嵌め込ませたナット５…を内側添え板３と押さえ板４とで挟み込む。そして、内側添え板３と押さえ板４との四隅をスペーサーナット１１…，１２…を介在させた状態で固定ねじ１０…よってそれぞれ締め付け固定する。このようにして、ナット５…を内包する内側添え部材９が組み立てられる。このとき、内側添え板３の貫通孔３ａ…、ナット５…及び押さえ板４の貫通孔４ａ…は孔合わせされている。
【００２８】
次に、図４に示すように、下節の鋼管柱１の上部に内側添え部材９…をその上部が下節の鋼管柱１の上端から突出するように取り付ける工程を行う。具体的には、上述したようにして組み立てられた内側添え部材９の内側添え板３の下部を、下節の鋼管柱１の上部内周面に当てるように配置し、点溶接などで仮固定させておく。このとき、内側添え部材９下部の孔（内側添え板３の貫通孔３ａ…、ナット５…及び押さえ板４の貫通孔４ａ…）を下節の鋼管柱１の貫通孔１ａ…に孔合わせしておく。また、下節の鋼管柱１上部の四方の各内周面に内側添え部材９…をそれぞれ取り付ける。
【００２９】
なお、点溶接以外の方法で、内側添え部材９を下節の鋼管柱１に仮固定してもよく、例えば、仮締めボルト等によって仮固定してもよい。
また、下節の鋼管柱１への内側添え部材９の取り付け工程は、下節の鋼管柱１の建て方前に予め行っておく方が簡単に取り付けることができるため好ましいが、下節の鋼管柱１の建て方後に、下節の鋼管柱１の上部に内側添え部材９を取り付けることも可能である。
【００３０】
次に、図５に示すように、下節の鋼管柱１の上に上節の鋼管柱２を設置する工程を行う。具体的には、上節の鋼管柱２をクレーン等で吊り上げ、上節の鋼管柱２を、その下部内に、下節の鋼管柱１の上端から突出した内側添え部材９…の上部を挿入させつつ下節の鋼管柱１の上端に吊り降ろす。つまり、突出した内側添え部材９…の上部に外装させるように、上節の鋼管柱２を下節の鋼管柱１の上端に載せる。このとき、内側添え部材９上部の孔（内側添え板３の貫通孔３ａ…、ナット５…及び押さえ板４の貫通孔４ａ…）は上節の鋼管柱２の貫通孔２ａ…に孔合わせされている。
【００３１】
次に、鋼管柱１，２の外周面に外側添え板７…を配置した後、内側添え部材９…および外側添え板７…を鋼管柱１，２にボルト接合する工程を行う。具体的には、鋼管柱１，２の四方の各外周面に、外側添え板７…を、その貫通孔７ａ…を鋼管柱１，２の貫通孔１ａ…，２ａ…に孔合わせをしてそれぞれ配置する。その後、座金１３…に通したボルト８…を外側添え板７…の貫通孔７ａ…から差し込み、鋼管柱１，２の貫通孔１ａ…，２ａ…および内側添え板３の貫通孔３ａ…をそれぞれ挿通させ、ナット５…に螺合させて締め付ける。これにより、内側添え部材９…および外側添え板７…は、鋼管柱１，２を間に挟んだ状態でボルト接合され、下節の鋼管柱１と上節の鋼管柱２とが接合（継手）される。
【００３２】
上記した構成からなる柱接合構造によれば、ナット５…を挟持している内側添え板３と押さえ板４とを鋼管１，２内に配置させた状態で下節の鋼管柱１の上に上節の鋼管柱２の載せ、その後、鋼管柱１，２に形成された貫通孔１ａ…，２ａ…からボルト８…を差し込んで当該ボルト８…を上記ナット５…に螺合させて締め込むだけで、下節の鋼管柱１上部と上節の鋼管柱２下部とが接合される。これにより、ガス切断作業やボルトの捻り出し作業等がなく、効率良く柱接合作業を行うことができる。
【００３３】
また、鋼管柱１，２と内側添え板３とを接合させるためのボルト８…は、内側添え板３と押さえ板４とにより挟持されたナット５…に螺合されて締め付けられる構成からなり、ボルト８…を挿通させるための内側添え板３の貫通孔３ａ…は、雌ねじが切られたねじ孔でなく、錐（キリ）等で開けられたような孔であるため、ねじ孔と異なりコンピュータ制御のレーザを用いて開けることができ、効率良く内側添え板を製作することができる。また、押さえ板４に形成された貫通孔４ａ…、回転規制板６のナット孔６ａ…、及び外側添え板７の貫通孔７ａ…も、内側添え板３の貫通孔３ａ…と同様に、錐（キリ）等で開けられたような孔であるため、コンピュータ制御のレーザを用いて開けることができ、効率良く内側添え板を製作することができる。また、押さえ板４に形成された貫通孔４ａ…や回転規制板６のナット孔６ａ…は、板厚が十分に薄い場合にはパンチで孔あけすることもできる。一方、内側添え板３や外側添え板７の貫通孔３ａ…, ７ａ…は、通常その板厚が厚いためパンチで孔あけすることは難しく、また、パンチによる孔あけ加工時に生じるバリを取る必要もある。なお、内側添え板３の四隅にはねじ孔３ｂ…が形成されているが、内側添え板３に形成するねじ孔の数を低減させることができるため、内側添え板３の製作の効率化を図ることができる。
【００３４】
また、内側添え板３と押さえ板４との間には、ナット５…が嵌め込まれるナット孔６ａ…が形成された回転規制板６が配設されており、回転規制板６のナット孔６ａ…に嵌合されたナット５…は、当該回転規制板６によってその回転が規制されているため、ボルト８…を締め込む際に、ボルト８…と共にナット５…が回転することがなく、ボルト８…の締め込みが確実に行われる。これによって、ボルト８…の締め込み不足を防止することができ、下節の鋼管柱１と上節の鋼管柱２とを確実に接合させることができる。
【００３５】
以上、本発明に係る柱接合構造の実施の形態について説明したが、本発明は上記した実施の形態に限定されるものではなく、その趣旨を逸脱しない範囲で適宜変更可能である。例えば、上記した実施の形態では、下節の鋼管柱１と上節の鋼管柱２との接合部分に梁が接合されてなく、鋼管柱１，２の外周面に外側添え板７…が添えられた構成からなっているが、本発明は、下節の鋼管柱と上節の鋼管柱との接合部分に梁が接合された構成であってもよく、例えば、図６に示すように、外側添え板７…に代えて鋼管柱１，２の外周面にスプリットＴ１４やシアアングル１５が配設され、このスプリットＴ１４やシアアングル１５を介して鉄骨梁１６が接合された構成であってもよい。このとき、スプリットＴ１４やシアアングル１５には貫通孔１４ａ…，１５ａ…がそれぞれ形成されており、これらの貫通孔１４ａ…，１５ａ…は、鋼管柱１，２の貫通孔１ａ…，２ａ…や内側添え板３の貫通孔３ａ…、ナット５…等と孔合わせされている。そして、スプリットＴ１４やシアアングル１５の貫通孔１４ａ…，１５ａ…からボルト８…がそれぞれ差し込まれ、これらのボルト８…が、スプリットＴ１４やシアアングル１５の貫通孔１４ａ…，１５ａ…、鋼管柱１，２の貫通孔１ａ…，２ａ…及び内側添え板３の貫通孔３ａ…に挿通されてナット５…に螺合されて締め付けられている。なお、図６に示す例では、外側添え板７…が備えられていない構成になっているが、鋼管柱１，２の外周面に外側添え板７…を配設し、この外側添え板７…の上にスプリットＴ１４やシアアングル１５を配設して鉄骨梁１６を接合させる構成であってもよい。
【００３６】
また、上記した実施の形態では、鋼管柱１，２は断面四角形の角形鋼管からなるが、本発明は、如何なる形状の鋼管柱でもよく、例えば、断面円形の円形鋼管からなる鋼管柱であってもよい。
【００３７】
また、上記した実施の形態では、ナット５…として六角ナットが使用され、回転規制板６…に六角形のナット孔６ａ…が形成されているが、本発明は、種々のナットを使用することができ、例えば、四角形のナットや外周面に溝が形成された円形のナットを使用することができる。この場合、回転規制板のナット孔の形状をナットの形状に合わせた形状にするのが好ましく、例えば、四角形ナットを使用する場合には四角形のナット孔を形成することでナットの供回りを規制することができ、また、溝付きの円形ナットを使用する場合には溝に嵌合される凸部を有する円形のナット孔を形成することでナットの供回りを規制することができる。ただし、ナットの形状とナット孔の形状が異なっていてもよく、例えば、六角ナットに対して四角形のナット孔を形成することで、ナットの回転を規制することも可能である。
【００３８】
また、上記した実施の形態では、内側添え板３と押さえ板４とが略同形状であって一枚の内側添え板３に対して一枚の押さえ板４…が配設されているが、本発明は、押さえ板が内側添え板と異なる形状であってもよく、例えば、図７（ａ）に示すように、押さえ板１０４が、下節の鋼管柱１上部側の押さえ板１０４ａと上節の鋼管柱２下部側の押さえ板１０４ｂとに分割されており、一枚の内側添え板３に対して２枚の押さえ板１０４ａ，１０４ｂが配設されていてもよい。
【００３９】
また、上記した実施の形態では、内側添え板３の全体にナット５…が配設されて、内側添え部材９の全体がサンドイッチ構造になっているが、本発明は、内側添え部材の上部分だけがサンドイッチ構造になっていてもよい。例えば、図７（ｂ）に示すように、内側添え部材２０９の下側部分では、通常の高力ボルト２０８´…とナット２０５´…によって内側添え板３が下節の鋼管柱１の上部に接合されており、内側添え部材２０９の上側部分では、上述した実施の形態と同様に、内側添え板３と押さえ板２０４との間に挟持されたナット５…にボルト８…を螺合させることで内側添え板３が上節の鋼管柱２の下部に接合されている。
【００４０】
また、上記した実施の形態では、押さえ板４に、ボルト８…を挿通させるための貫通孔４ａ…が形成されているが、本発明は、押さえ板に貫通孔が形成されていなくてもよく、例えば、図７（ｃ）に示すように、ボルト３０８…の長さが短尺であるとともに、押さえ板３０４に貫通孔が無く、内側添え板３と押さえ板３０４との間に挟持されたナット５…に螺合されるボルト３０８…の先端がナット５…内に配置される構成にしてもよい。
【００４１】
また、上記した実施の形態では、内側添え板３と押さえ板４との間に、ナット５…の回転を規制する回転規制板６が配設されているが、本発明は、回転規制板が備えられていなくてもよく、例えば、図７（ｄ）に示すように、押さえ板４０４にナット５…を嵌合させるための窪み４０４ａ…を形成し、この窪み４０４ａ…によってナット５…の回転を規制してもよい。この場合、回転規制板を別途配設する必要はなく、部品数を低減させることができる。なお、内側添え板にナットを嵌合させるための窪みを形成してもよい。
【００４２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４３】
【図１】本発明の実施の形態を説明するための下節の鋼管柱と上節の鋼管柱との接合部分を表す縦断面図である。
【図２】本発明の実施の形態を説明するための下節の鋼管柱と上節の鋼管柱との接合部分を表す横断面図である。
【図３】本発明の実施の形態を説明するための下節の鋼管柱と上節の鋼管柱との接合部分を表す分解図である。
【図４】本発明の実施の形態を説明するための下節の鋼管柱と上節の鋼管柱との接合状況を表す側面図である。
【図５】本発明の実施の形態を説明するための下節の鋼管柱と上節の鋼管柱との接合状況を表す側面図である。
【図６】本発明の他の実施の形態を説明するための下節の鋼管柱と上節の鋼管柱との接合部分を表す破断図である。
【図７】本発明の他の実施の形態を説明するための下節の鋼管柱と上節の鋼管柱との接合部分を表す部分断面図である。
【符号の説明】
【００４４】
１  下節の鋼管柱
１ａ  貫通孔
２  上節の鋼管柱
２ａ  貫通孔
３  内側添え板
３ａ  貫通孔
４，１０４，２０４，３０４，４０４  押さえ板
５  ナット
６  回転規制板
６ａ  ナット孔
８，３０８  ボルト
【図１】
2008019566.tif 000003
【図２】
2008019566.tif 000004
【図３】
2008019566.tif 000005
【図４】
2008019566.tif 000006
【図５】
2008019566.tif 000007
【図６】
2008019566.tif 000008
【図７】
2008019566.tif 000009